(57)【要約】【課題】ネットワーク共有資源を消費せずに各計算機のそれぞれ各起動ディスクに同時にオペレーティングシステム（ＯＳ）をインストールできる計算機システムを提供する。【解決手段】このシステムでは、計算機１２０ａ〜１２０ｃの選定したものにＯＳをインストールする際、管理用計算機１００の各部１０５、１０６、１０７による動作指示に従って起動される、主記憶装置１０１の各プログラム１０８、１０９に従い、外部記憶装置１３０内でコントローラ１３１により、選定したＯＳインストール用ディスク１３４ａ〜１３４ｂのマスタデータを選定したＯＳインストール一時格納用ディスク１３５ａ〜１３５ｄに起動ディスクとして複製し、そのディスクを計算機に割り当てると共に、外部記憶装置１３０内に配備される起動ディスク１３３ａ〜１３３ｅの選定されたものをインストール先ディスクとして割り当てた後、計算機を選定して起動し、ＯＳをインストールする。【選択図】図１
2011008696.tif 000002
【特許請求の範囲】
【請求項１】
オペレーティングシステムのインストール対象となる少なくとも１つの計算機と、前記計算機を管理する管理用計算機と、前記計算機を起動する起動ディスク、前記オペレーティングシステムをインストールするオペレーティングシステムインストール用ディスク、及び当該オペレーティングシステムのインストール用ディスクを一時的に格納するオペレーティングシステムインストール一時格納用ディスクを有する外部記憶装置と、がネットワークにより接続されて成る計算機システムであって、
前記オペレーティングシステムインストール用ディスクは、前記オペレーティングシステムのインストール時のマスタデータを格納するディスク領域を有し、
前記オペレーティングシステムインストール一時格納用ディスクは、前記オペレーティングシステムインストール用ディスクにおける前記マスタデータを複製して格納するディスク領域を有し、
前記管理用計算機は、前記オペレーティングシステムインストール用ディスクから前記オペレーティングシステムインストール一時格納用ディスクへ前記マスタデータを複製して当該オペレーティングシステムインストール用一時ディスクを作成するように前記外部記憶装置へ動作指示すると共に、当該複製の完了を認知するオペレーティングシステムインストール用一時ディスク作成手段と、前記オペレーティングシステムインストール一時格納用ディスクに作成された前記オペレーティングシステムインストール用一時ディスクを前記計算機に対して前記オペレーティングシステムのインストール時の起動ディスクとして割り当てると共に、当該オペレーティングシステムのインストール時のインストール先ディスクとして前記外部記憶装置内に配備された起動ディスクを当該計算機に対して割り当てるように当該外部記憶装置へ動作指示するオペレーティングシステムインストール時用ディスク割り当て手段と、前記計算機を起動して前記オペレーティングシステムのインストールを開始すると共に、当該オペレーティングシステムのインストールの完了を認知する計算機起動／オペレーティングシステム状況管理手段と、を有し、
前記外部記憶装置は、前記管理用計算機における前記オペレーティングシステムインストール用一時ディスク作成手段からの動作指示を受けて自装置内で前記マスタデータを複製するディスク複製手段と、前記オペレーティングシステムインストール時用ディスク割り当て手段からの動作指示を受けて前記計算機に対して前記起動ディスクを前記インストール先ディスクとして割り当てるディスク割り当て手段と、を有することを特徴とする計算機システム。
【請求項２】
請求項１記載の計算機システムにおいて、前記管理用計算機は、前記オペレーティングシステムインストール用一時ディスク作成手段及び前記オペレーティングシステムインストール時用ディスク割り当て手段を動作させるための外部記憶装置管理プログラムと、前記計算機起動／オペレーティングシステム状況管理手段を動作させるための計算機管理プログラムと、を格納した主記憶装置を備えたことを特徴とする計算機システム。
【発明の詳細な説明】
【技術分野】
【０００１】
本発明は、データセンタや仮想化計算機システム等のストレージエリアネットワーク（ＳＡＮ）環境で構築された複数の計算機に同時にオペレーティングシステム（ＯＳ）のインストールを行う機能を持つ計算機システムに関する。
【背景技術】
【０００２】
一般に、データセンタや仮想化計算機等の計算機システムでは、仮想化された物を含む複数の計算機とそれを起動するための起動ディスクとが必要であり、計算機システム全体では多数の構成部分を持つと共に、記憶容量が大容量となる。このため、各ハードディスクを組み合わせて冗長化された１台のハードディスクとして管理する大容量のレイド（ＲＡＩＤ）構成をした、外部記憶装置に対して起動ディスクを保持させるが、外部記憶装置には複数の計算機が接続される構成であることにより、計算機システム全体はストレージエリアネットワーク（ＳＡＮ）環境となる。
【０００３】
ストレージエリアネットワーク（ＳＡＮ）環境で構築された複数の計算機を有する計算機システムは、ストレージエリアネットワーク（ＳＡＮ）環境上の外部記憶装置内に構築された論理ユニット（ＬＵ）に対して起動ディスクを格納し、特にシステム導入時は複数の計算機の起動ディスクに対してオペレーティングシステム（ＯＳ）をインストールする必要がある。また、時間単位で起動ディスクを切り替えることにより業務を切り替える機能の計算機システムでは、１台の計算機が持つ複数の起動ディスクに対してそれぞれオペレーティングシステム（ＯＳ）をインストールすることが必要であり、こうした場合には各オペレーティングシステム（ＯＳ）のインストール作業を効率良く行うことが求められる。
【０００４】
このような計算機システムに関連する周知技術として、データセンタ等における複数の計算機に対し、ローカルエリアネットワーク（ＬＡＮ）やワイドエリアネットワーク（ＷＡＮ）等のネットワーク経由で管理用計算機から対象とする計算機にオペレーティングシステム（ＯＳ）インストールイメージを配信し、オペレーティングシステム（ＯＳ）をインストールする機能を持たせるようにしたもの、或いはマスタイメージならびに運用中に発生する差分情報を用い、障害発生時等にオペレーティングシステム（ＯＳ）とアプリケーション（ＡＰ）の迅速なインストールを行うようにしたインストール方式およびインストール方法ならびに配布装置およびそのプログラム（特許文献１参照）等が挙げられる。
【先行技術文献】
【特許文献】
【０００５】
【特許文献１】特開２００６−１１７８１号公報
【発明の概要】
【発明が解決しようとする課題】
【０００６】
上述したローカルエリアネットワーク（ＬＡＮ）やワイドエリアネットワーク（ＷＡＮ）等のネットワーク経由で管理用計算機から対象とする計算機にオペレーティングシステム（ＯＳ）のインストールイメージを配信してオペレーティングシステム（ＯＳ）をインストールする手法では、特に複数の計算機のそれぞれの起動ディスクに同時にオペレーティングシステム（ＯＳ）を配信する必要がある場合にネットワーク共有資源を消費してしまい、ネットワーク帯域の限度によりデータ伝送が遅れたり、或いはアクセスできなくなる等、ネットワークに接続された計算機システム全体の性能低下を来す原因となるという問題がある。
【０００７】
本発明は、このような問題点を解決すべくなされたもので、その技術的課題は、ネットワーク共有資源を消費せずに複数の計算機のそれぞれ複数の起動ディスクに同時にオペレーティングシステム（ＯＳ）をインストールすることができる計算機システムを提供することにある。
【課題を解決するための手段】
【０００８】
上記技術的課題を解決するため、本発明の計算機システムは、オペレーティングシステム（ＯＳ）のインストール対象となる少なくとも１つの計算機と、計算機を管理する管理用計算機と、計算機を起動する起動ディスク、オペレーティングシステム（ＯＳ）をインストールするオペレーティングシステム（ＯＳ）インストール用ディスク、及び当該オペレーティングシステム（ＯＳ）のインストール用ディスクを一時的に格納するオペレーティングシステム（ＯＳ）インストール一時格納用ディスクを有する外部記憶装置と、がネットワークにより接続されて成る計算機システムであって、オペレーティングシステム（ＯＳ）インストール用ディスクは、オペレーティングシステム（ＯＳ）のインストール時のマスタデータを格納するディスク領域を有し、オペレーティングシステム（ＯＳ）インストール一時格納用ディスクは、オペレーティングシステム（ＯＳ）インストール用ディスクにおける前記マスタデータを複製して格納するディスク領域を有し、管理用計算機は、オペレーティングシステム（ＯＳ）インストール用ディスクからオペレーティングシステム（ＯＳ）インストール一時格納用ディスクへマスタデータを複製してオペレーティングシステム（ＯＳ）インストール用一時ディスクを作成するように外部記憶装置へ動作指示すると共に、当該複製の完了を認知するオペレーティングシステム（ＯＳ）インストール用一時ディスク作成手段と、オペレーティングシステム（ＯＳ）インストール一時格納用ディスクに作成されたオペレーティングシステム（ＯＳ）インストール用一時ディスクを計算機に対してオペレーティングシステム（ＯＳ）のインストール時の起動ディスクとして割り当てると共に、当該オペレーティングシステム（ＯＳ）のインストール時のインストール先ディスクとして外部記憶装置内に配備された起動ディスクを当該計算機に対して割り当てるように当該外部記憶装置へ動作指示するオペレーティングシステム（ＯＳ）インストール時用ディスク割り当て手段と、計算機を起動してオペレーティングシステム（ＯＳ）のインストールを開始すると共に、当該オペレーティングシステム（ＯＳ）のインストールの完了を認知する計算機起動／オペレーティングシステム（ＯＳ）状況管理手段と、を有し、外部記憶装置は、管理用計算機におけるオペレーティングシステム（ＯＳ）インストール用一時ディスク作成手段からの動作指示を受けて自装置内でマスタデータを複製するディスク複製手段と、オペレーティングシステム（ＯＳ）インストール時用ディスク割り当て手段からの動作指示を受けて計算機に対して起動ディスクをインストール先ディスクとして割り当てるディスク割り当て手段と、を有することを特徴とする。
【０００９】
上記計算機システムの一実施態様は、管理用計算機は、オペレーティングシステム（ＯＳ）インストール用一時ディスク作成手段及びオペレーティングシステム（ＯＳ）インストール時用ディスク割り当て手段を動作させるための外部記憶装置管理プログラムと、計算機起動／オペレーティングシステム（ＯＳ）状況管理手段を動作させるための計算機管理プログラムと、を格納した主記憶装置を備えたことを特徴とする。
【発明の効果】
【００１０】
本発明の計算機システムによれば、ローカルエリアネットワーク（ＬＡＮ）やストレージエリアネットワーク（ＳＡＮ）等のネットワーク共有資源を消費せずに複数の計算機のそれぞれ複数の起動ディスクに対して同時にオペレーティングシステム（ＯＳ）をインストールすることができる。
【図面の簡単な説明】
【００１１】
【図１】本発明の実施例１に係る計算機システムの基本構成を示した簡易ブロック図である。
【図２】図１に示す計算機システムの管理用計算機に備えられるオペレーティングシステム（ＯＳ）インストール用一時ディスク作成部に係る動作処理を示したフローチャートである。
【図３】図１に示す計算機システムの管理用計算機に備えられるオペレーティングシステム（ＯＳ）インストール時用ディスク割り当て部に係る動作処理を示したフローチャートである。
【図４】図１に示す計算機システムの管理用計算機に備えられる計算機起動／オペレーティングシステム（ＯＳ）インストール状況管理部に係る動作処理を示したフローチャートである。
【発明を実施するための形態】
【００１２】
以下に、本発明の計算機システムについて、図面を参照して詳細に説明する。
【実施例１】
【００１３】
図１は、本発明の実施例１に係る計算機システムの基本構成を示した簡易ブロック図である。
【００１４】
この計算機システムは、管理用計算機１００と、複数の計算機１２０ａ〜１２０ｃと、各計算機１２０ａ〜１２０ｃで共有される外部記憶装置１３０と、を備え、管理用計算機１００が管理ネットワーク１４１を介して各計算機１２０ａ〜１２０ｃと外部記憶装置１３０とに接続され、各計算機１２０ａ〜１２０ｃ及び外部記憶装置１３０がストレージエリアネットワーク（ＳＡＮ）１４２を介して相互に接続されて構成されている。
【００１５】
このうち、管理用計算機１００は、管理ネットワーク１４１と接続されるネットワークインターフェース（ＮＩＣ）１０４を備える他、このネットワークインターフェース（ＮＩＣ）１０４にそれぞれ接続された外部記憶装置管理プログラム１０８及び計算機管理プログラム１０９が格納された主記憶装置１０１、オペレーティングシステム（ＯＳ）インストール用一時ディスク作成部１０５、オペレーティングシステム（ＯＳ）インストール時用ディスク割り当て部１０６、計算機起動／オペレーティングシステム（ＯＳ）インストール状況管理部１０７、及び図示されないＣＰＵ（中央演算処理装置）を備えて構成され、情報処理装置としての機能を持つ。なお、管理ネットワーク１４１にはローカルエリアネットワーク（ＬＡＮ）やワイドエリアネットワーク（ＷＡＮ）等を適用できる。
【００１６】
オペレーティングシステム（ＯＳ）インストール用一時ディスク作成部１０５は、後述する外部記憶装置１３０内のオペレーティングシステム（ＯＳ）インストール用ディスク１３４ａ、１３４ｂの選定されたものからオペレーティングシステム（ＯＳ）インストール一時格納用ディスク１３５ａ〜１３５ｄの選定されたものへマスタデータを複製するように外部記憶装置１３０へ動作指示すると共に、複製の完了を認知する機能を持つ。
【００１７】
オペレーティングシステム（ＯＳ）インストール時用ディスク割り当て部１０６は、オペレーティングシステム（ＯＳ）インストール一時格納用ディスク１３５ａ〜１３５ｄの選定されたものに作成されたオペレーティングシステム（ＯＳ）インストール用一時ディスクを計算機１２０ａ〜１２０ｃの選定されたものに対してオペレーティングシステム（ＯＳ）のインストール時の起動ディスクとして割り当てると共に、オペレーティングシステム（ＯＳ）のインストール時のインストール先ディスクとして外部記憶装置１３０内に配備された起動ディスク１３３ａ〜１３３ｅの選定されたものを計算機１２０ａ〜１２０ｃの選定されたものに割り当てるように外部記憶装置１３０へ動作指示する機能を持つ。
【００１８】
計算機起動／オペレーティングシステム（ＯＳ）インストール状況管理部１０７は、計算機１２０ａ〜１２０ｃを起動してオペレーティングシステム（ＯＳ）のインストールを開始すると共に、開始後にオペレーティングシステム（ＯＳ）のインストール完了を認知する機能を持つ。
【００１９】
外部記憶装置管理プログラム１０８は、オペレーティングシステム（ＯＳ）インストール用一時ディスク作成部１０５及びオペレーティングシステム（ＯＳ）インストール時用ディスク割り当て部１０６を動作させるためのものである。具体的には、外部記憶装置１３０内の指定されたディスクを複製するように外部記憶装置１３０へ動作指示するための機能と、複製の完了を認知するための機能と、計算機１２０ａ〜１２０ｃの指定されたものに外部記憶装置１３０内の指定されたディスクを割り当てるように外部記憶装置１３０に動作指示するための機能とを備える。
【００２０】
計算機管理プログラム１０９は、計算機起動／オペレーティングシステム（ＯＳ）インストール状況管理部１０７を動作させるためのものである。具体的には、計算機１２０ａ〜１２０ｃを起動するための機能と、オペレーティングシステム（ＯＳ）のインストール完了等の計算機１２０ａ〜１２０ｃの状態を監視するための機能とを備える。
【００２１】
なお、上述したオペレーティングシステム（ＯＳ）インストール用一時ディスク作成部１０５と、オペレーティングシステム（ＯＳ）インストール時用ディスク割り当て部１０６と、計算機起動／オペレーティングシステム（ＯＳ）インストール状況管理部１０７とは、ソフトウェア（プログラム）で構成しても良く、こうした場合には主記憶装置１０１内の外部記憶装置管理プログラム１０８及び計算機管理プログラム１０９と合わせ、管理用計算機１００が持つ図示しないＣＰＵ（中央演算処理装置）により実行された結果、各機能が働くようになる。
【００２２】
計算機１２０ａ〜１２０ｃは、それぞれホストバスアダプタ（ＨＢＡ）１２２と、ネットワークインターフェース（ＮＩＣ）１２４と、図示しないＣＰＵ及び主記憶装置と、を備えて構成され、情報処理装置としての機能を持つ。
【００２３】
外部記憶装置１３０は、基本機能として計算機１２０ａ〜１２０ｃを起動する起動ディスク１３３ａ〜１３３ｅ、オペレーティングシステム（ＯＳ）インストール用ディスク１３４ａ、１３４ｂ、オペレーティングシステム（ＯＳ）インストール一時格納用ディスク１３５ａ〜１３５ｄをストレージを構成する各ディスクドライブとして配備している他、これらの各ディスクドライブを１つのボリュームとして扱って入出力の制御を行う機能と、管理用計算機１００におけるオペレーティングシステム（ＯＳ）インストール用一時ディスク作成部１０５からの動作指示を受けて外部記憶装置１３０内でディスク領域の内容（マスタデータ）を複製するディスク複製部１３６、並びに管理用計算機１００におけるオペレーティングシステム（ＯＳ）インストール時用ディスク割り当て部１０６からの動作指示を受けて計算機１２０ａ〜１２０ｃに対して起動ディスクを割り当てるディスク割り当て部１３７を備えたコントローラ１３１と、ネットワークインターフェース（ＮＩＣ）１３２と、を備えて構成されている。
【００２４】
なお、ここでのディスク割り当て部１３７の機能に係る起動ディスクは、計算機１２０ａ〜１２０ｃの選定されたものに対して、オペレーティングシステム（ＯＳ）インストール時にオペレーティングシステム（ＯＳ）インストール一時格納用ディスク１３５ａ〜１３５ｄの選定されたものに作成されたオペレーティングシステム（ＯＳ）インストール用一時ディスクを起動ディスクとして割り当てる場合と、そのオペレーティングシステム（ＯＳ）インストール時のインストール先ディスクとして外部記憶装置１３０内に配備された起動ディスク１３３ａ〜１３３ｅの選定されたものを割り当てる場合とについての二通りを含むものである。
【００２５】
外部記憶装置１３０内の起動ディスク１３３ａ〜１３３ｅ、オペレーティングシステム（ＯＳ）インストール用ディスク１３４ａ、１３４ｂ、及びオペレーティングシステム（ＯＳ）インストール一時格納用ディスク１３５ａ〜１３５ｄは、それぞれ外部記憶装置１３０内で論理ユニット（ＬＵ）として管理されているとみなせる。即ち、図１に示す例の場合、起動ディスク１３３ａ〜１３３ｅのそれぞれは、論理ユニット（ＬＵ）番号１〜５を持つ論理ユニット（ＬＵ）のディスクドライブとして管理され、オペレーティングシステム（ＯＳ）インストール用ディスク１３４ａ、１３４ｂのそれぞれは、論理ユニット（ＬＵ）番号１１、１２を持つ論理ユニット（ＬＵ）のディスクドライブとして管理され、オペレーティングシステム（ＯＳ）インストール一時格納用ディスク１３５ａ〜１３５ｄのそれぞれは、論理ユニット（ＬＵ）番号２１〜２４を持つ論理ユニット（ＬＵ）のディスクドライブとして管理されていると換言できる。
【００２６】
管理ネットワーク１４１は、管理用計算機１００と計算機１２０ａ〜１２０ｃとの間、管理用計算機１００と外部記憶装置１３０との間でそれぞれ情報授受を行うときに使用される。こうした情報授受は、管理用計算機１００ではネットワークインターフェース（ＮＩＣ）１０４を経由し、計算機１２０ａ〜１２０ｃではネットワークインターフェース（ＮＩＣ）１２４を経由し、外部記憶装置１３０ではネットワークインターフェース（ＮＩＣ）１３２を経由して行われる。
【００２７】
ストレージエリアネットワーク（ＳＡＮ）１４２は、計算機１２０ａ〜１２０ｃと外部記憶装置１３０との間の情報授受を行うときに使用され、具体的なアクセスは計算機１２０ａ〜１２０ｃが備えるホストバスアダプタ（ＨＢＡ）１２２と外部記憶装置１３０が備えるコントローラ１３１との間で行われる。
【００２８】
以下は、管理用計算機１００の各部による動作処理の説明を簡単にするため、計算機１２０ａ〜１２０ｃのうちの任意な一台を計算機ｗ（ｗ＝ａ〜ｃ）を対象として一回のオペレーティングシステム（ＯＳ）をインストールする処理について、オペレーティングシステム（ＯＳ）のインストール先ディスクとなる計算機ｗに対する一つの起動ディスク１３３ａ〜１３３ｅの論理ユニット（ＬＵ）番号をｘ（ｘ＝１〜５）、オペレーティングシステム（ＯＳ）のインストール時に使用するオペレーティングシステム（ＯＳ）インストール用ディスク１３４ａ、１３４ｂの論理ユニット（ＬＵ）番号をｙ（ｙ＝１１、１２）、同様にオペレーティングシステム（ＯＳ）のインストール時に使用するオペレーティングシステム（ＯＳ）インストール一時格納用ディスク１３５ａ〜１３５ｄの論理ユニット（ＬＵ）番号をｚ（ｚ＝２１〜２４）として説明する。
【００２９】
図２は、管理用計算機１００に備えられるオペレーティングシステム（ＯＳ）インストール用一時ディスク作成部１０５に係る動作処理を示したフローチャートである。
【００３０】
このオペレーティングシステム（ＯＳ）インストール用一時ディスク作成部１０５の動作処理では、まず管理用計算機１００における外部記憶装置管理プログラム１０８を起動し、ネットワークインターフェース（ＮＩＣ）１０４及び管理ネットワーク１４１とネットワークインターフェース（ＮＩＣ）１３２とを経由して外部記憶装置１３０内のコントローラ１３１のディスク複製部１３６に対する動作指示として、各オペレーティングシステム（ＯＳ）インストール用ディスクにおける論理ユニット（ＬＵ）番号ｙの論理ユニット（ＬＵ）を各オペレーティングシステム（ＯＳ）インストール一時格納用ディスクにおける論理ユニット（ＬＵ）番号ｚの論理ユニット（ＬＵ）に複製するように通知（ステップＳ２０１）する。
【００３１】
次に、外部記憶装置管理プログラム１０８を起動し、先の処理（ステップＳ２０１）の論理ユニット（ＬＵ）複製が完了しているか検査（ステップＳ２０２）する処理を行い、論理ユニット（ＬＵ）複製が完了しているか否かを判定（ステップＳ２０３）する。この判定の結果、論理ユニット（ＬＵ）複製が完了していなければ、外部記憶装置管理プログラム１０８を起動し、先の処理（ステップＳ２０１）の論理ユニット（ＬＵ）複製が完了しているか検査（ステップＳ２０２）する処理の前へ戻るが、論理ユニット（ＬＵ）複製が完了していれば、外部記憶装置管理プログラム１０８を起動し、動作処理を終了する。
【００３２】
因みに、ここでの論理ユニット（ＬＵ）複製の処理は、上述の動作指示されたディスク複製部１３６が外部記憶装置１３０内で各オペレーティングシステム（ＯＳ）インストール用ディスクにおける論理ユニット（ＬＵ）番号ｙの論理ユニット（ＬＵ）を各オペレーティングシステム（ＯＳ）インストール一時格納用ディスクにおける論理ユニット（ＬＵ）番号ｚの論理ユニット（ＬＵ）に複製する動作処理の機能を示すものである。
【００３３】
図３は、管理用計算機１００に備えられるオペレーティングシステム（ＯＳ）インストール時用ディスク割り当て部１０６に係る動作処理を示したフローチャートである。
【００３４】
このオペレーティングシステム（ＯＳ）インストール時用ディスク割り当て部１０６の動作処理では、まず管理用計算機１００における外部記憶装置管理プログラム１０８を起動し、ネットワークインターフェース（ＮＩＣ）１０４及び管理ネットワーク１４１とネットワークインターフェース（ＮＩＣ）１３２とを経由して外部記憶装置１３０内のコントローラ１３１のディスク割り当て部１３７に対する動作指示として、オペレーティングシステム（ＯＳ）をインストールする計算機ｗにオペレーティングシステム（ＯＳ）インストール時の起動ディスクとして、オペレーティングシステム（ＯＳ）インストール一時格納用ディスクである論理ユニット（ＬＵ）番号ｚの論理ユニット（ＬＵ）を割り当て（ステップＳ３０１）る処理を行う。
【００３５】
次に、外部記憶装置管理プログラム１０８を起動し、オペレーティングシステム（ＯＳ）をインストールする計算機ｗにオペレーティングシステム（ＯＳ）インストール時のオペレーティングシステム（ＯＳ）インストール先のディスクとして、起動ディスクである論理ユニット（ＬＵ）番号ｘの論理ユニット（ＬＵ）を割り当て（ステップＳ３０２）る処理を行った後、外部記憶装置管理プログラム１０８を起動し、動作処理を終了する。
【００３６】
因みに、ここでの論理ユニット（ＬＵ）を割り当てる処理は、上述の動作指示されたディスク割り当て部１３７が外部記憶装置１３０内で起動ディスクにおける論理ユニット（ＬＵ）番号ｘの論理ユニット（ＬＵ）を計算機ｗに対するインストール時のオペレーティングシステム（ＯＳ）インストール先のディスクとして割り当てる動作処理の機能を示すものである。
【００３７】
図４は、管理用計算機１００に備えられる計算機起動／オペレーティングシステム（ＯＳ）インストール状況管理部１０７に係る動作処理を示したフローチャートである。
【００３８】
この計算機起動／オペレーティングシステム（ＯＳ）インストール状況管理部１０７の動作処理では、まず管理用計算機１００における計算機管理プログラム１０９を起動し、ネットワークインターフェース（ＮＩＣ）１０４及び管理ネットワーク１４１とネットワークインターフェース（ＮＩＣ）１３２とを経由して外部記憶装置１３０内のコントローラ１３１に対する動作指示として、オペレーティングシステム（ＯＳ）をインストールする計算機ｗを起動した後、オペレーティングシステム（ＯＳ）インストールを開始する（ステップＳ４０１）する。
【００３９】
次に、計算機管理プログラム１０９を起動し、オペレーティングシステム（ＯＳ）をインストールする計算機ｗのオペレーティングシステム（ＯＳ）インストールが完了しているか検査（ステップＳ４０２）する処理を行い、オペレーティングシステム（ＯＳ）インストールが完了しているか否かを判定（ステップＳ４０３）する。この判定の結果、オペレーティングシステム（ＯＳ）インストールが完了していなければ、計算機管理プログラム１０９を起動し、オペレーティングシステム（ＯＳ）をインストールする計算機ｗのオペレーティングシステム（ＯＳ）インストールが完了しているか検査（ステップＳ４０２）する処理の前へ戻るが、オペレーティングシステム（ＯＳ）インストールが完了していれば、計算機管理プログラム１０９を起動し、オペレーティングシステム（ＯＳ）をインストールする計算機ｗを動作終了することにより、動作処理を終了する。
【００４０】
因みに、ここでのオペレーティングシステム（ＯＳ）をインストールする処理は、コントローラ１３１がストレージエリアネットワーク（ＳＡＮ）１４２及びホストバスアダプタ（ＨＢＡ）１２２経由で外部記憶装置１３０外の計算機ｗを起動した後に計算機ｗの起動ディスクにオペレーティングシステム（ＯＳ）をインストールする動作処理の機能を示すものである。
【００４１】
以上に説明した計算機システムによれば、一台の計算機ｗの起動ディスクにオペレーティングシステム（ＯＳ）をインストールする場合にネットワーク共有資源を消費することなく、適確にインストールを実行することができる。
【００４２】
ところで、実施例１に係る計算機システムにおいて、外部記憶装置１３０内でコントローラ１３１に具備されると共に、ディスク領域のマスタデータ（内容）を複製するディスク複製部１３６についての複製機能は、周知技術を適用すれば容易に変更することができる。例えば本出願人により提案されているディスクアレイ製品では、１つの論理ユニット（ＬＵ）を複数の論理ユニット（ＬＵ）に複製する機能が実装されている。こうした複製機能を適用すれば、複数の計算機１２０ａ〜１２０ｃに同時にオペレーティングシステム（ＯＳ）をインストールする場合、特に同一なオペレーティングシステム（ＯＳ）を各計算機１２０ａ〜１２０ｃに同時にインストールするときには、一層高速に各オペレーティングシステム（ＯＳ）インストール一時格納用ディスク１３５ａ〜１３５ｄを作成することができる。
【００４３】
即ち、上述した実施例１に係る計算機システムにおいて、外部記憶装置管理プログラム１０８により動作処理が管理されるオペレーティングシステム（ＯＳ）インストール用一時ディスク作成部１０５、及びオペレーティングシステム（ＯＳ）インストール時用割り当て部１０６と、計算機管理プログラム１０９により動作処理が管理される計算機起動／オペレーティングシステム（ＯＳ）インストール状況管理部１０７とについては、各計算機１２０ａ〜１２０ｃのそれぞれの起動ディスクに同時にオペレーティングシステム（ＯＳ）をインストールする機能を持たせるように構築したり、或いは各計算機１２０ａ〜１２０ｃ、各起動ディスク１３３ａ〜１３３ｅ、並びに各オペレーティングシステム（ＯＳ）インストール一時格納用ディスク１３５ａ〜１３５ｄの組み合わせがすべて異なる場合に各オペレーティングシステム（ＯＳ）を同時にインストールする機能を持たせるように構築した上、こうした機能を追従して動作制御できるように外部記憶装置１３０におけるコントローラ１３１のディスク複製部１３６とディスク割り当て部１３７との機能を容易に変更することができるものであり、こうした何れの場合にも、ネットワーク共有資源を消費することなく、適確にインストールを実行することができる。
【符号の説明】
【００４４】
１００  管理用計算機
１０１  主記憶装置
１０４、１２４、１３２  ネットワークインターフェース（ＮＩＣ）
１０５  オペレーティングシステム（ＯＳ）インストール用一時ディスク作成部
１０６  オペレーティングシステム（ＯＳ）インストール時用ディスク割り当て部
１０７  計算機起動／オペレーティングシステム（ＯＳ）状況管理部
１０８  外部記憶装置管理プログラム
１０９  計算機管理部プログラム
１２０ａ〜１２０ｃ  計算機
１２２  ホストバスアダプタ（ＨＢＡ）
１３０  外部記憶装置
１３１  コントローラ
１３３ａ〜１３３ｅ  起動ディスク
１３４ａ〜１３４ｂ  オペレーティングシステム（ＯＳ）インストール用ディスク
１３５ａ〜１３５ｄ  オペレーティングシステム（ＯＳ）インストール一時格納用ディスク
１３６  ディスク複製部
１３７  ディスク割り当て部
１４１  管理ネットワーク
１４２  ストレージエリアネットワーク（ＳＡＮ）
【図１】
2011008696.tif 000003
【図２】
2011008696.tif 000004
【図３】
2011008696.tif 000005
【図４】
2011008696.tif 000006